【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
通信部を有する外部装置に対する動作指示を無線で送信する通信装置であって、
所定のトリガ信号を受け付ける入力手段と、
前記入力手段により所定のトリガ信号が受け付けられた場合、動作タイミングに関するタイミング情報を含む所定の動作指示を複数回送信するよう制御する送信制御手段とを有し、
前記所定の動作指示のそれぞれは、前記所定の動作指示のいずれが受信されても前記外部装置が特定のタイミングに動作するよう、それぞれ異なるタイミング情報を含むことを特徴とする通信装置。
【請求項２】
前記外部装置は発光装置であり、
前記所定の動作指示は前記発光装置に対する発光指示であることを特徴とする請求項１に記載の通信装置。
【請求項３】
前記タイミング情報は、前記外部装置が前記所定の動作指示を受信してから動作を実行するまでの時間を示す情報を含むことを特徴とする請求項１または２に記載の通信装置。
【請求項４】
前記タイミング情報は、前記送信制御手段により順次送信される前記所定の動作指示の順番を示す情報を含むことを特徴とする請求項１乃至３のいずれか１項に記載の通信装置。
【請求項５】
前記所定のトリガ信号は、前記通信装置に接続された撮像部による撮像を指示する操作がなされたことを示す信号であることを特徴とする請求項１乃至４のいずれか１項に記載の通信装置。
【請求項６】
前記タイミング情報は、前記撮像部のシャッターが全開になるタイミングに基づき決定されることを特徴とする請求項５に記載の通信装置。
【請求項７】
前記外部装置に定期的にビーコン信号を発行するとともに、前記撮像を指示する操作の前後で前記ビーコン信号の発行間隔を変更することを特徴とする請求項５または６に記載の通信装置。
【請求項８】
前記送信制御手段は、前記所定の動作指示を複数回ブロードキャストすることを特徴とする請求項１乃至７のいずれか１項に記載の通信装置。
【請求項９】
前記送信制御手段は、前記所定の動作指示に先立ち事前動作指示を送信することが可能であって、前記複数の外部装置の１台ずつに対する前記事前動作指示を送信することを特徴とする請求項８に記載の通信装置。
【請求項１０】
通信装置と無線通信を行う外部装置であって、
前記通信装置から複数回送信される、動作タイミングに関するタイミング情報を含む所定の動作指示を受信する受信手段と、
前記受信手段により最初に受信できた前記所定の動作指示に含まれるタイミング情報に従ったタイミングで動作が実行されるよう制御する動作制御手段とを有し、
前記所定の動作指示のそれぞれには、前記所定の動作指示のいずれを受信しても特定のタイミングで動作が実行されるよう、それぞれ異なるタイミング情報が含まれることを特徴とする外部装置。
【請求項１１】
前記通信装置から最初の所定の動作指示を受信した場合、以降の所定の動作指示に応じた動作制御を行わないことを特徴とする請求項１０に記載の外部装置。
【請求項１２】
前記外部装置には発光装置が接続され、
前記所定の動作指示は前記発光装置に対する発光指示であることを特徴とする請求項１０または１１に記載の外部装置。
【請求項１３】
前記タイミング情報は、前記外部装置が前記所定の動作指示を受信してから動作が実行されるまでの時間を示す情報であることを特徴とする請求項１０乃至１２のいずれか１項に記載の外部装置。
【請求項１４】
前記タイミング情報は、前記通信装置により順次送信される前記所定の動作指示の順番を示す情報を含むことを特徴とする請求項１０乃至１２のいずれか１項に記載の外部装置。
【請求項１５】
前記所定の動作指示の順番と動作タイミングとの対応付けを保持する保持手段をさらに有し、
前記受信手段により所定の動作指示が受信された場合、前記動作制御手段は、前記保持手段により保持されている対応付けに基づくタイミングで前記動作が実行されるよう制御することを特徴とする請求項１４に記載の外部装置。
【請求項１６】
通信部を有する外部装置に対する動作指示を無線で送信する通信装置の制御方法であって、
所定のトリガ信号を受け付ける入力ステップと、
前記入力ステップにより所定のトリガ信号が受け付けられた場合、動作タイミングに関するタイミング情報を含む所定の動作指示を複数回送信するよう制御する送信制御ステップとを有し、
前記所定の動作指示のそれぞれは、前記所定の動作指示のいずれが受信されても前記外部装置が特定のタイミングに動作するよう、それぞれ異なるタイミング情報を含むことを特徴とする通信装置の制御方法。
【請求項１７】
通信装置と無線通信を行う外部装置の制御方法であって、
前記通信装置から複数回送信される、動作タイミングに関するタイミング情報を含む所定の動作指示を受信する受信ステップと、
前記受信ステップにより最初に受信できた前記所定の動作指示に含まれるタイミング情報に従ったタイミングで動作が実行されるよう制御する動作制御ステップとを有し、
前記所定の動作指示のそれぞれには、前記所定の動作指示のいずれを受信しても特定のタイミングで動作が実行されるよう、それぞれ異なるタイミング情報が含まれることを特徴とする外部装置の制御方法。
【請求項１８】
通信部を有する外部装置に対する動作指示を無線で送信する通信装置を制御するためのプログラムであって、
所定のトリガ信号を受け付ける入力処理と、
前記入力処理により所定のトリガ信号が受け付けられた場合、動作タイミングに関するタイミング情報を含む所定の動作指示を複数回送信するよう制御する送信制御処理とをコンピュータに実行させ、
前記所定の動作指示のそれぞれは、前記所定の動作指示のいずれが受信されても前記外部装置が特定のタイミングに動作するよう、それぞれ異なるタイミング情報を含むことを特徴とするプログラム。
【請求項１９】
通信装置と無線通信を行う外部装置を制御するためのプログラムであって、
前記通信装置から複数回送信される、動作タイミングに関するタイミング情報を含む所定の動作指示を受信する受信処理と、
前記受信処理により最初に受信できた前記所定の動作指示に含まれるタイミング情報に従ったタイミングで動作が実行されるよう制御する動作制御処理とをコンピュータに実行させ、
前記所定の動作指示のそれぞれには、前記所定の動作指示のいずれを受信しても特定のタイミングで動作が実行されるよう、それぞれ異なるタイミング情報が含まれることを特徴とするプログラム。
【手続補正２】
【補正対象書類名】明細書
【補正対象項目名】発明の名称
【補正方法】変更
【補正の内容】
【発明の名称】通信装置、外部装置及びそれらの制御方法
【手続補正３】
【補正対象書類名】明細書
【補正対象項目名】０００１
【補正方法】変更
【補正の内容】
【０００１】
本発明は、無線通信システムを構成する通信装置、外部装置、それらの制御方法及びプログラムに関する。
【手続補正４】
【補正対象書類名】明細書
【補正対象項目名】０００８
【補正方法】変更
【補正の内容】
【０００８】
本発明の通信装置は、通信部を有する外部装置に対する動作指示を無線で送信する通信装置であって、所定のトリガ信号を受け付ける入力手段と、前記入力手段により所定のトリガ信号が受け付けられた場合、動作タイミングに関するタイミング情報を含む所定の動作指示を複数回送信するよう制御する送信制御手段とを有し、前記所定の動作指示のそれぞれは、前記所定の動作指示のいずれが受信されても前記外部装置が特定のタイミングに動作するよう、それぞれ異なるタイミング情報を含むことを特徴とする。
【手続補正５】
【補正対象書類名】明細書
【補正対象項目名】０００９
【補正方法】変更
【補正の内容】
【０００９】
本発明によれば、ユーザの操作に対して十分なレスポンスを確保するとともに、正確な時間で同期をとって確実に外部装置を動作させることができる。